(57)【要約】
【課題】破砕流動乾燥機の構成を改良し、破砕流動乾燥機に配置する破砕羽根を頑丈な構造とし、原料破砕機能を向上しようとするものである。
【解決手段】円弧状凹面とした破砕流動乾燥機の底面に駆動源からの駆動力の伝達をうけて回転する吸引羽根と破砕羽根を一体にした破砕羽根車を回転自在に配し、その底部に熱風供給源からの熱風を吹き込む熱風吹き込み口をのぞませ、破砕羽根車上に原料供給源から搬送された原料を投入する投入口を設けた構成とした。
【選択図】　図１
0003100198.tif 000002
【実用新案登録請求の範囲】
【請求項１】
　本体の天井に製品を回収する装置に通ずる吸引ダクト開口を設け、底部を円弧状凹面とし、その底部には軸受けに軸支された破砕羽根車を回転自在に配し、側壁の一方には原料供給装置からの原料搬送機構から原料を破砕羽根車上に投入する原料投入口を配し、前記底部に一方には熱風供給源からの熱風吹き込み口を配して成る破砕流動乾燥において、前記した破砕流動乾燥機の本体の底部に配する破砕羽根車の構成は、一方端に円盤を挿通固定したパイプのパイプ円筒面に、上辺を破砕辺とした複数枚の破砕羽根を、それぞれ下辺を該パイプのパイプ円筒面の先端側に向かって、放射状に固定するとともに、基辺を該円盤面に固定し、前記した各破砕羽根の翼端と前記したパイプのパイプ円筒面の先端側に捩れ片を所定の角度を以て下辺を前記パイプのパイプ円筒面の先端側に、基辺を前記各破砕羽根の翼端側に固定した吸引羽根として、前記円盤、パイプ、破砕羽根、吸引羽根を構成する捩れ片を一体物に構成した部材とし、前記部材を、左右対称にして前記円盤を背中合わせにして前記パイプに回転軸を挿通して固定し、前記パイプと回転軸を固定して中央に円盤を配し、両側に捩れ片による吸引羽根を配した破砕羽根車として構成し、前記した破砕羽根車は、その破砕羽根と破砕流動乾燥機の本体の底部の円弧状凹面とは隙間を隔てて軸受けに回転自在に配置するとともに、熱風吹き込み口を底部の内弧状凹面に向かった位置に設けたことを特徴とする破砕流動乾燥機。
【考案の詳細な説明】
【技術分野】
【０００１】
　本考案は、ガラスで出来た使用済空瓶や貝殻等ばかりでなく、水分含有率を極力少なく調整した汚泥、水産廃棄物等（以下これを原料と言う）を乾燥した微粉末とする乾燥流動破砕機に関するものである。
【背景技術】
【０００２】
　破砕流動乾燥機には、本体の底部に破砕羽根車を二基配置した形式のものと、これを改良して一基配置した形式のものとがこれまで開発されている。
　前者の形式のものは特許第１２９０４９８号として登録され、その構成は上記発明の公報に図解されている。
　後者の形式のものは特許第２７５９８４３号、同第２７５９８４９号として登録され、その構成は上記公報に図解されている。
【特許文献１】特許第１２９０４９８号公報
【特許文献２】特許第２７５９８４３号公報
【特許文献３】特許第２７５９８４９号公報
【特許文献４】特公平０２−１９３７０号公報
【特許文献５】特開昭５７−９４３５４号公報
【特許文献６】特開昭５５−１２０４４６号公報
【特許文献７】特開平０３−５１６０９号公報
【０００３】
　両発明とも、発明を構成する破砕流動乾燥機は、本体内に配置された破砕羽根車の動力源、本体内に熱風を吹き込む熱風吹込源、本体内に原料供給源から原料を送り込む原料搬送装置、本体内から微粉末に粉砕された製品を回収する装置を周辺に、配したプラントに組み込まれて配置される。
【０００４】
　後者の破砕流動乾燥機の構成の概要は、本体の天井に製品を回収する装置に連通するダクト開口を設け、本体の底部は円弧状窪面として形成し、その底部には、軸受けに回転軸を軸支された破砕羽根車を回転自在に配し、その本体には熱風吹込口を設けるとともに、破砕羽根車上に原料を投下する投下口を配すると言う構造形式に構成されている。
【０００５】
　前記した構成の破砕流動乾燥機を以てする原料の破砕は、前記破砕羽根車を高速回転し、本体内に熱風を吹き込み、天井に設けた製品を回収する装置に連通するダクト開口からは常時本体内の空気を吸引するようにし、熱風吹き込みと空気の吸引により常に本体内は上昇気流を発生させる状況下で、原料投下口から原料を高速回転する破砕羽根車上に連続投下すると言うものである。
【０００６】
　原料投下口から高速回転する破砕羽根車上に連続投下された原料は、破砕羽根車を構成する破砕羽根に当たって微塵に破砕される。破砕された破砕片は、高速回転する破砕羽根車の回転方向に放擲されるものもあり、破砕羽根車の破砕羽根の間に引き込まれるものもある。
　破砕羽根車の破砕羽根の間に引き込まれた破砕片は、高速回転する破砕羽根車に生ずる遠心力によって破砕羽根車の回転方向に放擲される。
【０００７】
　その放擲方向が、本体の天井方向に向かった破砕片は、自重により本体の底部に向って落下する。この破砕片は破砕羽根車の破砕羽根に当たって粉砕される。破砕羽根車の破砕羽根の間に引き込まれ、これが破砕羽根の回転方向に放擲される。
【０００８】
　その放擲方向が本体の側壁側に向かった破砕片は、高速回転する破砕羽根車と底部の間に引き込まれ、破砕羽根車によって摺りつぶされ粉砕される。即ち摺動破砕片とされて、これが破砕羽根車の回転方向に放擲される。天井方向に向かって放擲されるものは、これが自重によって本体の底部に向って落下する。
　これが連続して投入される原料に混って繰り返される。
【０００９】
　天井方向に放擲された破砕片、粉砕片は互いに天井方向で衝突してその衝撃によって更に微細に細粉される。
　これが熱風を吹き込まれた本体内で破砕片、粉砕片の乾燥が促進されながら繰り返される。
【００１０】
　そして、本体内に生じる上昇気流に抗して落下する自重を失うまでに細粉されたのもは、その上昇気流に乗って本体の天井に設けられたダクト開口から本体外に流出する。これが製品回収装置に回収される。
　その自重を失わない微粉片は、破砕羽根車上に落下して上記した動きを繰り返す。
【００１１】
　上記した特許第２７５９８４３号、特許第２７５９８４９号の発明の公報中に記載された破砕羽根車の破砕羽根は、同公報の図示実施例に記載されているとおり回転軸上に回転軸の軸心に対して直角に、且つ放射状に複数枚の破砕羽根を突出固定し、該破砕羽根の両脇にはそれぞれ吸引羽根を配する構成とされていた。
　また、前記発明を構成する考え方は、破砕羽根車について破砕流動乾燥機の軸受配置側と破砕羽根車の間に落下した破砕片をなるべく破砕羽根車の中に引き込む機能を発揮させようとする考え方もとられ、破砕羽根車の両側に破砕羽根とは別に吸引羽根を配する構成を採用した。
　更に、前記発明を構成する考え方は、本体の底部に落下して堆積した破砕片、粉砕片は、高速回転する破砕羽根車の破砕羽根と吸引羽根とで底部の円弧状窪面で擂り潰して粉砕すると言う摺動破砕を行う考え方を採用したものである。
【００１２】
　本考案の出願人は、前記した発明を開発した発明者に指導の下で前記した発明を実施した破砕流動乾燥機を作成するようになったが、その作成に当たり、前記発明の発明者とともに検討した結果前記した発明を実施した破砕流動乾燥機は、前記した構成の破砕羽根車を使うことから、予定した機能を発揮しないこと、また、前記発明が原料破片の摺動破砕と言う考え方を基にした技術であるところから、まず、本体の底部と破砕羽根車の破砕羽根、吸引羽根の摩耗が激しく、頻繁に破砕羽根車や本体の底部の修繕をしなければならないと言う不都合、並に、破砕羽根車にかかる荷重が増大し、源動機の破損を招くだけでなく、電気代が嵩んでしまうと言う不都合があることが判明した。
【考案の開示】
【考案が解決しようとする課題】
【００１３】
　本考案は、上記した発明の不都合を解消するため、本考案の考案者らは破砕羽根車と本体の底部の底面とで原料を摺動して破砕すると言う考え方を改め、破砕羽根車の破砕羽根については原料を破砕、粉砕する機能をもたせることは勿論であるが、それだけでなく、破砕羽根車の軸受側に落下した破砕片、粉砕片は破砕羽根車の破砕羽根の間に強力に引き込ませる機能を発揮し、且つ、破砕羽根車の破砕羽根の間に引き込まれた破砕片、粉砕片を強力に破砕羽根の回転方向に放擲する機能を強化した機能をもたせる破砕羽根とするとともに、本体内に吹き込む熱風とによって本体の底部には破砕片、粉砕片が堆積しないようにし、本体の天井方向に濃密放擲した破砕片、粉砕片を本体の天井方向で破砕片、粉砕片を互いに衝突させてその衝撃によって破砕片、粉砕片を更に破砕、粉砕してその破砕、粉砕を促進する破砕流動乾燥機を提供しようとするものである。
【課題を解決するための手段】
【００１４】
　本体の天井に製品を回収する装置に通ずる吸引ダクト開口を設け、底部を円弧状凹面とし、その底部には軸受けに軸支された破砕羽根車を回転自在に配し、側壁の一方には原料供給装置からの原料搬送機構から原料を破砕羽根車上に投入する原料投入口を配し、前記底部に一方には熱風供給源からの熱風吹き込み口を配して成る破砕流動乾燥において、前記した破砕流動乾燥機の本体の底部に配する破砕羽根車の構成は、一方端に円盤を挿通固定したパイプのパイプ円筒面に、上辺を破砕辺とした複数枚の破砕羽根を、それぞれ下辺を該パイプのパイプ円筒面の先端側に向かって、放射状に固定するとともに、基辺を該円盤面に固定し、前記した各破砕羽根の翼端と前記したパイプのパイプ円筒面の先端側に捩れ片を所定の角度を以て下辺を前記パイプのパイプ円筒面の先端側に、基辺を前記各破砕羽根の翼端側に固定した吸引羽根として、前記円盤、パイプ、破砕羽根、吸引羽根を構成する捩れ（よじれ）片を一体物に構成した部材とし、前記部材を、左右対称にして前記円盤を背中合わせにして前記パイプに回転軸を挿通して固定し、前記パイプと回転軸を固定して中央に円盤を配し、両側に捩れ片による吸引羽根を配した破砕羽根車として構成し、前記した破砕羽根車は、その破砕羽根と破砕流動乾燥機の本体の底部の円弧状凹面とは隙間を隔てて軸受けに回転自在に配置するとともに、熱風吹き込み口を底部の内弧状凹面に向かった位置に設けた破砕流動乾燥機。
【考案の効果】
【００１５】
　本考案は破砕流動乾燥機の本体、並に、これに配置する破砕羽根車を上記の通りに構成したので、本体、並に破砕羽根車の損傷を極端に阻止し、原料の粉砕効率を向上させることができる。
【実施例】
【００１６】
　本考案を構成する破砕流動乾燥機の本体の構成は、図１に示すとおり、本体１の天井２に製品を回収する装置Ａに通ずる吸引ダクト開口３を設け、底部４を円弧状凹面とし、その底部４には軸受けに軸支された破砕羽根車１７を回転自在に配し、側壁の一方には原料供給装置（図示しない）からの原料搬送機構Ｂを通して原料を本体１の底部に配された破砕羽根車１７上に投入する原料投入口５を配し、前記底部４に一方には熱風供給源（図示しない）からの熱風吹き込み口７を配して成るものである。
【００１７】
　前記した破砕流動乾燥機の本体１の底部４に配する破砕羽根車１７の構成は、図２に示すとおり一方端に円盤１１を挿通固定したパイプ１２のパイプ円筒面に、上辺を破砕辺とした複数枚の破砕羽根１３を、それぞれ下辺を該パイプ１２のパイプ円筒面の先端側に向かって放射状に固定するとともに、基辺を該円盤１１面に固定し、前記した各破砕羽根１３の翼端と前記したパイプのパイプ円筒面の先端側に捩れ（よじれ）片１４を所定の角度を以て一辺を前記パイプ１２のパイプ円筒面の先端側に、基辺を前記各破砕羽根１３の翼端側に固定した吸引羽根として、前記円盤１１、パイプ１２、破砕羽根１３、吸引羽根を構成する捩れ片１４を一体物に構成した部材１５とする。この部材１５の側面図を図３に示し、正面図を図４に示す。
【００１８】
　前記部材１５を、図５に示すとおり左右対称にして前記円盤１１を背中合わせにして前記パイプ１２に回転軸１６を挿通して固定し、前記パイプ１２と回転軸１６を固定して中央に円盤１１を配し、両側に捩れ片１４を固定した吸引羽根１３を配した破砕羽根車１７として構成すると言うものである。
　この構成とすることにより、本考案の破砕羽根車１７の破砕羽根は、これまでの発明の破砕羽根車とは異なり、破砕羽根は吸引機能をもつ羽根となることだけでなく、破砕羽根１３も捩れ（よじれ）片１４も頑丈な羽根として構成することが出来る。
【００１９】
　前記した破砕流動乾燥機に配置する破砕羽根車１７の配置位置は、これまでの発明が、前記したように原料破砕機能を高速回転する破砕羽根車の破砕羽根と、破砕流動乾燥機の底板との間で、高速回転する破砕羽根車の破砕羽根による擂り潰すと言う摺動破砕を行って粉砕しようとする考え方も取り入れて構成されていたのを、本考案はこの考え方を改め、本考案では前記した構成の破砕流動乾燥機の本体１の底部４に配する破砕羽根車１７を、該破砕羽根車１７の破砕羽根１３が、破砕流動乾燥機の本体１の底部４の円弧状凹面では破砕片を擂り潰す摺動機能を発揮しないようにするため前記した破砕羽根車１７は、その破砕羽根と破砕流動乾燥機の本体１の底部４の円弧状凹面とは隙間を隔てて軸受けに回転自在に配置することにした。
【００２０】
　前記した破砕流動乾燥機の本体１に設ける熱風吹き込み口７の配置位置は、前記した破砕流動乾燥機がこれまでの摺動破砕という考え方を改めたことによって、底部４の内弧状凹面に向かって熱風を吹き込む個所とした。
【００２１】
　前記した本考案にかかる破砕流動乾燥機による原料の破砕は、これまでの破砕流動乾燥機と同じように、製品を回収する装置、熱風供給源、原料搬送装置、破砕羽根車の駆動源を稼働する。
【００２２】
　破砕流動乾燥機の本体１の中では駆動源からの駆動力の伝達を受けて破砕羽根車１７が高速回転し、吹き込まれた熱風により本体内では天井のダクト口に向かった上昇気流が発生する。
【００２３】
　この状態下で、原料が搬送装置によって搬送されて原料投入口５から高速回転する破砕羽根車１７上に連続して投入される。
　高速回転する破砕羽根車１７上に落下した原料は、高速回転する破砕羽根車１７の破砕羽根１３の破砕辺によって粉々に砕かれる。
　粉々に砕かれた破砕辺は、高速回転する破砕羽根車１７の破砕羽根１３によって、高速回転する破砕羽根車１７の回転方向に放擲されるものでもあり、また、高速回転する回転羽根車１７の破砕羽根１３の間に巻き込まれるものもある。
　高速回転する破砕羽根車１７の破砕羽根１３の間に巻き込まれた破砕片は、高速回転する破砕羽根車１７の遠心力により、高速回転する破砕羽根車１７の外に放擲されることになる。
　破片の放擲方向は、高速回転する破砕羽根車の全周外方向であることは勿論である。
【００２４】
　本体１の天井２方向に向かって放擲された破片は自重により高速回転する破砕羽根車上に落下する。これは上記操作が繰り返される。
　本体の内側壁方向に放擲された破片は、内側壁に突き当たり、高速回転する破砕羽根車１７の中に引き込まれるものもある。
　本体１の底部４の円弧状凹面側に放擲された破片は、底部４に吹き込まれる熱風と高速回転する破砕羽根車１７の破砕羽根１３によって底部の円弧状凹面から吹き上げられることになり、吸引羽根の作用によって底部の円弧状凹面から高速回転する破砕羽根車１７の内に浚い（さらい）込むことになり、底部４の円弧状凹面には堆積することは阻げられる。
【００２５】
　本体１の天井２方向に放擲されて自重によって落下する破片中には高速回転する破砕羽根車１７の吸引羽根側に落下するものもある。
　この破片は、吸引羽根を構成する捻れ片１４の上面に当たって砕かれるものもあれば、吸引羽根１３によって高速回転する破砕羽根車の各破砕羽根の間に吸引されるものがある。
【００２６】
　本考案の破砕羽根車１７の各破砕羽根１３は、それぞれ吸引羽根１３となる捻れ片１４を一体に構成してあるのでその吸引力は大となる。
　これまでの発明にかかる破砕流動乾燥機に配する破砕羽根車の破砕羽根は、風を起こすことが目的でなく破砕対象物を破砕することが目的であるので、特公平２−１９３７０号公報、特開昭５７−９４３５４号公報、同５５−１２０４４６号公報に図示されているように、破砕羽根の翼端側は幅狭に切り欠き、風の抵抗を少なくし回転速度を高める構成とすることが常識とされていた。
　そのため、破砕対象物を破砕するとき、その破砕羽根の翼端側は対象物を破砕するときの衝撃で破損したりするという不都合が生ずることがあった。
　その不都合を解消するため、特開平３−５１６０９号公報に図示実施例に挙げられているように、破砕羽根の翼端にリング状物体を取り付けて破砕羽根の翼端を補強することが考えられていた。
　しかし、破砕羽根の翼端に補強を施す部材を取り付けることは技術的に容易でない。
【００２７】
　本考案は、破砕羽根車１７に配置される前記破砕羽根１３を空気吸入機能を兼用する破砕羽根１７とするため、破砕羽根１３の翼端を空気吸入機能を発揮する捩れ角度をもった捩れ片１４を取付けた破砕羽根１３とした。
　破砕羽根車１７を構成する破砕羽根１３を上記した構成とすることによって、これまでのように破砕羽根の翼端に補強手段を講じることなく風の抵抗を少なくした頑丈なしかも破砕羽根の円盤方向に原料破片を強力に吸い込む機能を発揮する破砕羽根とすることができた。
【００２８】
　上記したように構成された破砕羽根車１７の両側に配した吸引羽根の引力によって破砕羽根車の両側から破砕羽根車１７の中に吸引される破片は、高速回転する破砕羽根車１７の中央に位置した円盤１１に突き当たり、いわば中央に配した円盤１１が、吸引された破片の吹き溜まり個所となる。
　前記円盤が位置する個所で吹き溜まりとなった破片は、高速回転する破砕羽根車１７の遠心力によって高速回転する破砕羽根車の全周にわたって放擲される。
【００２９】
　これが連続投入される原料に混って連続して行われる。
　つまり、高速回転する破砕羽根車によって破砕された破片は、何度も自重によって本体の底部に落下して既に細粉砕された破片と連続投入される原料が入り混じって前記操作が行われる。
　本体の天井側に向けて放擲された破砕片は互いに衝突し合いその衝撃でも破砕される。
【００３０】
　これが自重によって底部に落下せず、本体内に生じる上昇気流に乗るまでに粉砕された原料は製品として本体１の天井２に設けたダクト開口３から製品を回収する装置に回収される。
【図面の簡単な説明】
【００３１】
【図１】破砕流動乾燥機の断面図。
【図２】破砕羽根車を構成する部材の斜視図。
【図３】破砕羽根車を構成する部材の側面図。
【図４】破砕羽根車を構成する部材の正面図。
【図５】破砕羽根車を構成する部材で組み立てた破砕羽根車の斜視図。
【符号の説明】
【００３２】
　１．本体
　２．天井
　３．ダクト開口
　４．底部
　５．原料投入口
１１．破砕羽根
１２．パイプ
１３．破砕羽根
１４．捩れ片
１５．部材
１６．回転軸
１７．破砕羽根車
【図１】
0003100198.tif 000003
【図２】
0003100198.tif 000004
【図３】
0003100198.tif 000005
【図４】
0003100198.tif 000006
【図５】
0003100198.tif 000007